(57)【特許請求の範囲】
【請求項１】
遊技領域に遊技球を誘導する誘導通路に回動可能に配置され、前記遊技球が前記誘導通路から前記遊技領域に導出されるときに、前記遊技球が前記遊技領域から前記誘導通路に侵入することを防止する戻り防止位置から前記遊技球を導出可能な導出位置に回動する戻り防止弁と、前記戻り防止弁が前記戻り防止位置から回動したことに応じてパルス信号を出力する検出部とを有する検出センサから前記パルス信号が入力されるインタフェース回路であって、
前記検出センサに接続され、前記パルス信号が入力されてから許可時間が経過するまで、前記誘導通路から前記遊技領域に前記遊技球が導出されたことを示す導出信号の出力を許可する出力許可信号を出力し、前記パルス信号が入力されてから初期化時間が経過した後に、前記インタフェース回路が前記導出信号を出力可能な初期状態に戻ったことを示す初期化信号を出力する計時回路と、
前記検出センサ及び前記計時回路に接続され、前記パルス信号が入力され且つ前記出力許可信号が入力されたときに前記導出信号を出力し、一方、前記導出信号を出力してから前記初期化時間が経過までは、前記パルス信号が入力されても、前記導出信号を出力しない導出信号出力回路と、
前記検出センサ及び前記計時回路に接続され、前記パルス信号が入力されているときに、前記初期化信号が入力されると、前記検出センサが異常状態であることを示す異常信号を出力する異常信号出力回路と、
を有することを特徴とするインタフェース回路。
【請求項２】
前記計時回路は、
前記パルス信号が入力されたときに、時定数に応じて出力端子の電圧を初期電圧から上昇させると共に前記初期化信号の出力を停止し、電圧降下指示信号が入力されたときに、前記出力端子の電圧を前記初期電圧に降下させると共に前記初期化信号を出力する遅延回路と、
前記遅延回路の前記出力端子に接続され、前記パルス信号が入力されてから前記許可時間が経過して、前記遅延回路の前記出力端子の電圧が出力許可電圧に上昇するまで、前記出力許可信号を前記導出信号出力回路に出力する出力許可回路と、
前記遅延回路の前記出力端子に接続され、前記パルス信号が入力されてから前記初期化時間が経過して、前記遅延回路の前記出力端子の電圧が指示電圧より高くなったときに、前記電圧降下指示信号を前記遅延回路に出力する電圧降下指示回路と、を有する、請求項１に記載のインタフェース回路。
【請求項３】
前記遅延回路は、
一端が前記出力端子に接続された遅延容量素子と、
前記遅延容量素子に接続された遅延抵抗素子と、
前記初期化信号の入力が停止されたことに応じて、前記遅延容量素子及び前記遅延抵抗素子への電流の供給を開始する遅延スイッチング素子と、
前記電圧降下指示信号が入力されたときに、前記異常信号出力回路及び遅延スイッチング素子への前記初期化信号の出力を開始し、前記パルス信号が入力されたときに、前記初期化信号の出力を停止する初期化回路と、を有する、請求項２に記載のインタフェース回路。
【請求項４】
遊技領域に遊技球を誘導する誘導通路に回動可能に配置され、前記遊技球が前記誘導通路から前記遊技領域に導出されるときに、前記遊技球が前記遊技領域から前記誘導通路に侵入することを防止する戻り防止位置から前記遊技球を導出可能な導出位置に回動する戻り防止弁と、前記戻り防止弁が前記戻り防止位置から回動したことに応じてパルス信号を出力する検出部とを有する検出センサと、
前記検出センサから前記パルス信号が入力されるインタフェース回路と、を有し、
前記インタフェース回路は、
前記検出センサに接続され、前記パルス信号が入力されてから許可時間が経過するまで、前記誘導通路から前記遊技領域に前記遊技球が導出されたことを示す導出信号の出力を許可する出力許可信号を出力し、前記パルス信号が入力されてから初期化時間が経過した後に、前記インタフェース回路が前記導出信号を出力可能な初期状態に戻ったことを示す初期化信号を出力する計時回路と、
前記検出センサ及び前記計時回路に接続され、前記パルス信号が入力され且つ前記出力許可信号が入力されたときに前記導出信号を出力し、一方、前記導出信号を出力してから前記初期化時間が経過までは、前記パルス信号が入力されても、前記導出信号を出力しない導出信号出力回路と、
前記検出センサ及び前記計時回路に接続され、前記パルス信号が入力されているときに、前記初期化信号が入力されると、前記検出センサが異常状態であることを示す異常信号を出力する異常信号出力回路と、
を有することを特徴とする検出装置。
【請求項５】
遊技球を遊技領域に誘導する誘導通路と、
前記誘導通路に回動可能に配置され、前記遊技球が前記誘導通路から前記遊技領域に導出されるときに、前記遊技球が前記遊技領域から前記誘導通路に侵入することを防止する戻り防止位置から前記遊技球を導出可能な導出位置に回動する戻り防止弁と、前記戻り防止弁が前記戻り防止位置から回動したことに応じてパルス信号を出力する検出部とを有する検出センサと、
前記検出センサから前記パルス信号が入力されるインタフェース回路と、を有し、
前記インタフェース回路は、
前記検出センサに接続され、前記パルス信号が入力されてから許可時間が経過するまで、前記誘導通路から前記遊技領域に前記遊技球が導出されたことを示す導出信号の出力を許可する出力許可信号を出力し、前記パルス信号が入力されてから初期化時間が経過した後に、前記インタフェース回路が前記導出信号を出力可能な初期状態に戻ったことを示す初期化信号を出力する計時回路と、
前記検出センサ及び前記計時回路に接続され、前記パルス信号が入力され且つ前記出力許可信号が入力されたときに前記導出信号を出力し、一方、前記導出信号を出力してから前記初期化時間が経過までは、前記パルス信号が入力されても、前記導出信号を出力しない導出信号出力回路と、
前記検出センサ及び前記計時回路に接続され、前記パルス信号が入力されているときに、前記初期化信号が入力されると、前記検出センサが異常状態であることを示す異常信号を出力する異常信号出力回路と、
を有することを特徴とする遊技機。
【発明の詳細な説明】
【技術分野】
【０００１】
本発明は、検出センサのインタフェース回路、そのようなインタフェース回路と検出センサとを含む検出装置及びそのような検出装置を利用する遊技機に関する。
【背景技術】
【０００２】
遊技機において、発射制御装置から発射され、誘導通路から遊技領域に導出された遊技球の数を、検出センサを使用して計数するカウント装置が知られている（例えば、特許文献１を参照）。特許文献１に記載の検出センサは、遊技球を遊技領域へと誘導する誘導通路の先端に配置される戻り防止弁と、戻り防止弁の回動動作に応じてパルス信号を出力する検出部とを有する。戻り防止弁は、遊技球が導出されていないときに誘導通路の出口を塞ぐ戻り防止位置に位置する。遊技球が誘導通路から遊技領域に向かって進行し、戻り防止弁に当接して遊技領域に導出されるときに、戻り防止弁は、遊技球を遊技領域に導出するために導出位置に回動する。戻り防止弁は、遊技球が遊技領域に導出されると、戻り防止位置に回動して遊技球が誘導通路に戻ることを防止する。検出部は、戻り防止弁が戻り防止位置から導出位置の方向に回動したことに応じて、パルス信号を出力する。特許文献１に記載のカウンタ装置は、検出センサから出力されたパルス信号を受信した回数に応じて遊技領域に導出された遊技球の数を決定する。
【先行技術文献】
【特許文献】
【０００３】
【特許文献１】特開平１０−２１６３０４号公報
【発明の概要】
【発明が解決しようとする課題】
【０００４】
しかしながら、このような検出センサでは、遊技球が遊技領域に導出された後に、遊技球が戻り防止弁に当接したときの反動で、戻り防止弁が戻り防止位置と導出位置との間で振動する場合がある。遊技球が戻り防止弁に当接したときの反動で戻り防止弁が振動すると、検出センサは、１つの遊技球が遊技領域に導出されたときに複数のパルス信号を出力することになる。この結果、パルス信号が検出センサから入力されるカウンタ装置は、実際に遊技領域に導出された遊技球の数よりも多い数を計数するおそれがある。
【０００５】
また、このような検出センサでは、遊技領域から誘導通路の方向に戻ってきた遊技球が、戻り防止位置に回動する戻り防止弁に衝突した反動で戻り防止弁が回動することにより、検出センサがパルス信号を出力するおそれがある。この場合も、カウンタ装置は、実際に遊技領域に導出された遊技球の数よりも多い数を計数するおそれがある。
【０００６】
さらに、このような検出センサでは、何らかの理由により、戻り防止弁が導出位置に固定された場合に、検出センサは、遊技球が遊技領域に導出されているのにもかかわらずパルス信号を出力することができない。この場合、カウンタ装置は、誘導通路から遊技領域に遊技球が導出され続けているのにもかかわらず、遊技球を全く計数できなくなるおそれがある。
【０００７】
このように、戻り防止弁の回動を検出する検出センサを使用した場合、誘導通路から実際に遊技領域に導出された遊技球の数と、検出センサから出力されるパルス信号の数に応じてカウンタ装置が決定した遊技球の数とが相違するおそれがある。
【０００８】
そこで、本発明は、検出センサからパルス信号が入力されたときに出力する信号の数を、実際に誘導通路から遊技領域に導出された遊技球の数に一致させることが可能なインタフェース回路を提供することを目的とする。
【課題を解決するための手段】
【０００９】
上記の目的を達成するために、本発明の一つの形態に係るインタフェース回路は、遊技領域に遊技球を誘導する誘導通路に回動可能に配置され、遊技球が誘導通路から遊技領域に導出されるときに、遊技球が遊技領域から誘導通路に侵入することを防止する戻り防止位置から遊技球を導出可能な導出位置に回動する戻り防止弁と、戻り防止弁が戻り防止位置から回動したことに応じてパルス信号を出力する検出部とを有する検出センサからパルス信号が入力されるインタフェース回路であって、検出センサに接続され、パルス信号が入力されてから許可時間が経過するまで、誘導通路から遊技領域に遊技球が導出されたことを示す導出信号の出力を許可する出力許可信号を出力し、パルス信号が入力されてから初期化時間が経過した後に、インタフェース回路が導出信号を出力可能な初期状態に戻ったことを示す初期化信号を出力する計時回路と、検出センサ及び計時回路に接続され、パルス信号が入力され且つ出力許可信号が入力されたときに導出信号を出力し、一方、導出信号を出力してから初期化時間が経過までは、パルス信号が入力されても、導出信号を出力しない導出信号出力回路と、検出センサ及び計時回路に接続され、パルス信号が入力されているときに、初期化信号が入力されると、検出センサが異常状態であることを示す異常信号を出力する異常信号出力回路とを有する。
【００１０】
また、このインタフェース回路において、計時回路は、パルス信号が入力されたときに、時定数に応じて出力端子の電圧を初期電圧から上昇させると共に初期化信号の出力を停止し、電圧降下指示信号が入力されたときに、出力端子の電圧を初期電圧に降下させると共に初期化信号を出力する遅延回路と、遅延回路の出力端子に接続され、パルス信号が入力されてから許可時間が経過して、遅延回路の出力端子の電圧が出力許可電圧に上昇するまで、出力許可信号を導出信号出力回路に出力する出力許可回路と、遅延回路の出力端子に接続され、パルス信号が入力されてから初期化時間が経過して、遅延回路の出力端子の電圧が指示電圧より高くなったときに、電圧降下指示信号を遅延回路に出力する電圧降下指示回路と、を有することが好ましい。
【００１１】
また、このインタフェース回路において、遅延回路は、一端が出力端子に接続された遅延容量素子と、遅延容量素子に接続された遅延抵抗素子と、初期化信号の入力が停止されたことに応じて、遅延容量素子及び遅延抵抗素子への電流の供給を開始する遅延スイッチング素子と、電圧降下指示信号が入力されたときに、異常信号出力回路及び遅延スイッチング素子への初期化信号の出力を開始し、パルス信号が入力されたときに、初期化信号の出力を停止する初期化回路とを有することが好ましい。
【００１２】
さらに、本発明の他の実施形態によれば、検出装置は、遊技領域に遊技球を誘導する誘導通路に回動可能に配置され、遊技球が誘導通路から遊技領域に導出されるときに、遊技球が遊技領域から誘導通路に侵入することを防止する戻り防止位置から遊技球を導出可能な導出位置に回動する戻り防止弁と、戻り防止弁が戻り防止位置から回動したことに応じてパルス信号を出力する検出部とを有する検出センサと、検出センサからパルス信号が入力されるインタフェース回路と、を有し、インタフェース回路は、検出センサに接続され、パルス信号が入力されてから許可時間が経過するまで、誘導通路から遊技領域に遊技球が導出されたことを示す導出信号の出力を許可する出力許可信号を出力し、パルス信号が入力されてから初期化時間が経過した後に、インタフェース回路が導出信号を出力可能な初期状態に戻ったことを示す初期化信号を出力する計時回路と、検出センサ及び計時回路に接続され、パルス信号が入力され且つ出力許可信号が入力されたときに導出信号を出力し、一方、導出信号を出力してから初期化時間が経過までは、パルス信号が入力されても、導出信号を出力しない導出信号出力回路と、検出センサ及び計時回路に接続され、パルス信号が入力されているときに、初期化信号が入力されると、検出センサが異常状態であることを示す異常信号を出力する異常信号出力回路とを有する。
【００１３】
さらに、本発明の他の実施形態によれば、遊技機は、遊技球を遊技領域に誘導する誘導通路と、誘導通路に回動可能に配置され、遊技球が誘導通路から遊技領域に導出されるときに、遊技球が遊技領域から誘導通路に侵入することを防止する戻り防止位置から遊技球を導出可能な導出位置に回動する戻り防止弁と、戻り防止弁が戻り防止位置から回動したことに応じてパルス信号を出力する検出部とを有する検出センサと、検出センサからパルス信号が入力されるインタフェース回路と、を有し、インタフェース回路は、検出センサに接続され、パルス信号が入力されてから許可時間が経過するまで、誘導通路から遊技領域に遊技球が導出されたことを示す導出信号の出力を許可する出力許可信号を出力し、パルス信号が入力されてから初期化時間が経過した後に、インタフェース回路が導出信号を出力可能な初期状態に戻ったことを示す初期化信号を出力する計時回路と、検出センサ及び計時回路に接続され、パルス信号が入力され且つ出力許可信号が入力されたときに導出信号を出力し、一方、導出信号を出力してから初期化時間が経過までは、パルス信号が入力されても、導出信号を出力しない導出信号出力回路と、検出センサ及び計時回路に接続され、パルス信号が入力されているときに、初期化信号が入力されると、検出センサが異常状態であることを示す異常信号を出力する異常信号出力回路とを有する。
【発明の効果】
【００１４】
本発明に係るインタフェース回路は、検出センサからパルス信号が入力されたときに出力する信号の数を、実際に誘導通路から遊技領域に導出された遊技球の数に一致させることが可能になるという効果を奏する。
【図面の簡単な説明】
【００１５】
【図１】実施形態に係るインタフェース回路を有する検出装置を備える遊技機の概略斜視図である。
【図２】（ａ）は図１に示す検出センサの正面図であり、（ｂ）は（ａ）に示す検出センサのＡ−Ａ´線に沿う断面図である。
【図３】図１に示す検出センサ検出センサの分解斜視図である。
【図４】（ａ）は遊技球が図１に示す検出センサの戻り防止弁に当接する前の状態を示す図であり、（ｂ）は遊技球が戻り防止弁に当接している状態を示す図であり、（ｃ）は遊技球が戻り防止弁に当接した後の状態を示す図である。
【図５】（ａ）は糸状材の一端が接着された遊技球を遊技領域に滞在させる態様を示す図であり、（ｂ）は（ａ）に示す態様により遊技機に生じるおそれがある態様を示す図である。
【図６】図１に示す検出センサを含む検出装置の回路ブロック図である。
【図７】図１に示す検出センサを含む検出装置のより詳細な回路ブロック図である。
【図８】図６に示す検出装置の動作を示すタイミングチャートである。
【発明を実施するための形態】
【００１６】
（本発明に係るインタフェース回路の概要）
以下、本発明の実施形態によるインタフェース回路を、図を参照しつつ説明する。このインタフェース回路には、遊技球を遊技領域に誘導する誘導通路に回動可能に配置された戻り防止弁と、戻り防止弁が回動したことに応じてパルス信号を出力する検出部とを有する検出センサからパルス信号が入力される。インタフェース回路は、パルス信号が入力されてから、遊技球の最小の発射間隔よりも短い予め規定された許可時間が経過するまで、遊技領域に遊技球が導出されたことを示す導出信号を出力する。また、インタフェース回路は、パルス信号が入力されてから、許可時間よりも長く且つ遊技球の最小の発射間隔よりも短い予め規定された初期化時間が経過したときに、インタフェース回路が導出信号を出力可能な初期状態に戻ったことを示す初期化信号を出力する。しかしながら、インタフェース回路は、導出信号を出力してから初期化信号を出力するまでは、パルス信号が入力されても導出信号を出力しない。インタフェース回路は、導出信号が出力されてから初期化信号を出力するまでパルス信号が入力されても導出信号を出力しないため、遊技球が戻り防止弁に当接したときの反動等で検出センサから入力されるパルス信号による遊技球の誤カウントを防止できる。また、初期化信号を出力するまでに戻り防止弁が戻り防止位置に戻らなかったときに、インタフェース回路は、検出センサが異常状態であることを示す異常信号を出力する。インタフェース回路は、初期状態に戻るまでに戻り防止弁が戻り防止位置に戻らなかったときに、異常信号を出力するので、遊技球の誤カウントを防止すると共に検出センサが異常状態であることを通知することができる。
【００１７】
（本発明に係る遊技機の構成）
図１は、実施形態に係るインタフェース回路を有する検出装置を備える遊技機の概略斜視図である。
【００１８】
遊技機１は、上部から中央部の大部分の領域に設けられた遊技盤２と、下部に配設された玉受け部３及び発射ハンドル４などで構成される。遊技機１では、遊技者が発射ハンドル４を回動させると、遊技機１に内蔵された発射制御装置（図示せず）が、一定の発射間隔で、その回転角に応じた発射速度で遊技球を発射する。一例では、発射制御装置が発射される遊技球の最大数は１分間当たり１００個である。すなわち、発射制御装置が発射する遊技球の最小の発射間隔は０．６秒である。発射された遊技球は、遊技盤２の側方に設けられたレールにより形成される誘導通路５に沿って上方へ移動し、誘導通路の先端に配置された検出センサ６の戻り防止弁に当接し押下して、誘導通路５の先端から遊技領域７に導出される。検出センサ６は、遊技球が戻り防止弁に押下することに応じてパルス信号を出力する。遊技領域７に導出された遊技球は、遊技領域７上に設けられた多数の障害釘と衝突しながら遊技領域７を落下する。そして、その落下する遊技球が、入賞口装置８に入ると、入賞口装置８を通過した遊技球を検出したことを示す信号が制御装置（図示せず）に出力される。入賞口装置８から信号が入力された制御装置が入賞したと判定した場合、所定個数の遊技球を、遊技盤２の背面に設置された賞球払出装置（図示せず）を通じて玉受け部３へ払い出す。さらに、遊技盤２の略中央部に配設された表示装置９は、入賞の有無などに応じて様々に変化する遊技情報を遊技者に表示する。
【００１９】
（検出センサの構成）
図２（ａ）は検出センサ６の正面図であり、図２（ｂ）は検出センサ６のＡ−Ａ´線に沿う断面図であり、図３は検出センサ６の分解斜視図である。
【００２０】
検出センサ６は、筐体１０と、センサ部１１と、戻り防止弁１２と、おもり１３と、支持軸１４と、カバー１５と、カバー固定部材１６とを有する。検出センサ６は、遊技球が誘導通路５から遊技領域７に導出されるときに、遊技球が戻り防止弁１２に当接して戻り防止弁１２を押下することに応じて、遊技球が誘導通路から遊技領域に導出されたことを示すパルス信号を出力する。
【００２１】
筐体１０には、センサ部１１が収納される中空部１０１と、一対の取付け穴１０２と、支持軸１４が貫通する筐体支持軸穴１０３と、一例ではネジであるカバー固定部材１６が螺合されることによりカバー１５を固定するカバー固定穴１０４とが形成される。筐体１０は、遊技盤２に筐体固定部材１７が挿入され一対の取付け穴１０２のそれぞれにネジで螺合されることにより、遊技盤２に固定される。
【００２２】
センサ部１１は、基板１１１と、発光素子１１２と、受光素子１１３と、コネクタ１１４とを有する。基板１１１は、発光素子１１２、受光素子１１３及びコネクタ１１４を搭載し、発光素子１１２及び受光素子１１３とコネクタ１１４との間を電気的に接続する。発光素子１１２は、一例ではＬＥＤである。受光素子１１３は、発光素子１１２が発光した光を受光したときに電流を出力するフォトダイオードと、フォトダイオードから出力された電流を電圧に変換する抵抗素子を有する。コネクタ１１４は、受光素子１１３に電流を供給すると共に、受光素子１１３から出力される電圧を外部装置に供給する。
【００２３】
戻り防止弁１２は、遊技球が当接する当接部１２１と、当接部１２１を回動するために支持軸１４が貫通する弁支持軸穴１２２が形成された回動部１２３と、遮光部１２４と、おもり１３が嵌合されるおもり穴１２５が形成されたおもり部１２６とを有する。当接部１２１は、湾曲した平板形状であり、遊技球が当接したときに、回動部１２３に挿入される支持軸１４を軸として回動する。遮光部１２４は、当接部１２１の反対の方向に回動部１２３から延伸する。遮光部１２４は、当接部１２１に遊技球が当接していないとき、センサ部１１の発光素子１１２と受光素子１１３との間に位置し、発光素子１１２が発光した光を受光素子１１３が受光できないように遮断する。また、遮光部１２４は、遊技球が当接部１２１に当接して当接部１２１を押下することによって回動し、センサ部１１の発光素子１１２と受光素子１１３との間から移動し、発光素子１１２が発光した光を受光素子１１３が受光できるようにする。おもり部１２６は、おもり穴１２５におもり１３が嵌合されることにより当接部１２１よりも重くなり、遊技球が当接部１２１に当接していないときに所定の位置に戻り防止弁１２が位置するためのおもりとして機能する。
【００２４】
支持軸１４は、筐体支持軸穴１０３及び弁支持軸穴１２２を貫通するように配置され、戻り防止弁１２を回動可能に支持する。
【００２５】
（検出センサの動作）
図４（ａ）〜４（ｃ）は、遊技球が誘導通路５から遊技領域７に導出されるときの検出センサ６の動作を示す図である。図４（ａ）は遊技球が検出センサ６の戻り防止弁１２に当接する前の状態を示し、図４（ｂ）は遊技球が戻り防止弁１２に当接している状態を示し、図４（ｃ）は遊技球が戻り防止弁１２に当接した後の状態を示す。すなわち、図４（ａ）は遊技球１８と検出センサ６の第１の位置関係を示し、図４（ｂ）は第１の位置関係の次の位置関係である第２の位置関係を示し、図４（ｃ）は第１の位置関係の次の位置関係である第３の位置関係を示す。また、図４（ａ）〜４（ｃ）において、検出センサ６は、説明のために長手方向に一部が切断された部分切断面として示される。
【００２６】
一対のレール５０１及び５０２で形成された誘導通路５を上昇してきた遊技球１８が戻り防止弁１２に当接する前では、戻り防止弁１２は、おもり部１２６の重みにより、おもり部１２６が下方に位置し且つ当接部１２１が上方に位置するように位置する。このとき、戻り防止弁１２の遮光部１２４は、発光素子１１２と受光素子１１３との間に位置し、発光素子１１２が発光した光を受光素子１１３が受光できないように遮断する。次いで、遊技球１８が戻り防止弁１２の当接部１２１に当接し当接部１２１を押下すると、戻り防止弁１２が回動して、遊技球１８がレール５０１と当接部１２１との間を通過して遊技領域７に導出される。このとき、戻り防止弁１２の遮光部１２４は、センサ部１１の発光素子１１２と受光素子１１３との間から移動し、発光素子１１２が発光した光を受光素子１１３が受光できるようになる。そして、遊技球が戻り防止弁１２に当接した後に遊技領域７に導出されると、戻り防止弁１２は、おもり部１２６の重みにより回動して、当接部１２１が上方に位置する位置に戻る。このとき、遮光部１２４は、発光素子１１２と受光素子１１３との間に位置し、発光素子１１２が発光した光を再び遮断する。
【００２７】
検出センサ６の出力電圧は、図４（ａ）及び４（ｃ）に示すように、遊技球１８が当接部１２１に当接していないときは、戻り防止弁１２の遮光部１２４がセンサ部１１の発光素子１１２と受光素子１１３との間を遮断するので、ゼロである。図４（ｂ）に示すように、遊技球１８が当接部１２１に当接しているときは、戻り防止弁１２の遮光部１２４がセンサ部１１の発光素子１１２と受光素子１１３との間を遮断しないので、検出センサ６の出力電圧は、受光素子１１３の出力に応じた振幅を有する。すなわち、検出センサ６は、遊技球１８が検出センサ６に当接して遊技領域７に導出されるときに、遊技球１８が戻り防止弁１２に当接して戻り防止弁１２を押下することに応じて、遊技球１８が遊技領域７に導出されたことを示すパルス信号を出力する。
【００２８】
また、戻り防止弁１２は、遊技領域７に導出された遊技球１８が誘導通路５に戻ることを防止する機能を有する。図４（ｃ）において双方向矢印Ａで示される当接部１２１の上端とレール５０１との間の距離は、遊技球１８の直径よりも短い。また、図４（ｃ）において矢印Ｂで示される当接部１２１の下端は筐体１０と接している。このため、遊技領域７に導出された遊技球１８は、遊技領域７において障害釘に衝突して誘導通路５の方向に戻ってきた場合でも、誘導通路５に侵入することができない。すなわち、図４（ａ）及び（ｃ）では、戻り防止弁１２は、遊技球１８が導出される前及び遊技球１８が導出された後に遊技球１８が遊技領域７から誘導通路への侵入を防止する戻り防止位置に位置する。一方、図４（ｂ）では、戻り防止弁１２は、遊技球１８が誘導通路５から遊技領域７に導出されるときに遊技球１８を導出可能な導出位置に位置する。
【００２９】
（検出センサの特徴及び問題点）
検出センサ６は、構成素子が少なく且つ構造が簡明であるので、製造コストを抑えることができる。検出センサ６は、誘導通路５から導出された遊技球の数を計数するカウンタ装置のセンサとして使用できると共に、遊技球１８が誘導通路５に侵入することを防止できる。
【００３０】
しかしながら、検出センサ６は、遊技球１８が遊技領域７に導出された後、おもり部１２６の重みで戻り防止位置に戻るため、遊技球１８が戻り防止弁１２に当接したときの反動で、戻り防止弁１２が戻り防止位置と導出位置との間で振動するおそれがある。遊技球１８が導出されるときの反動で戻り防止弁１２が振動すると、１つの遊技球が導出されたのにもかかわらず、複数のパルス信号が検出センサ６から出力されることになる。
【００３１】
また、検出センサ６は、遊技領域７から誘導通路５の方向に戻ってきた遊技球１８が、戻り防止位置に位置する戻り防止弁１２に衝突した反動で戻り防止弁１２が回動することにより、パルス信号が検出センサ６から出力されるおそれがある。
【００３２】
さらに、図５（ａ）に示すように、釣り糸等の糸状材１９１の一端が接着された遊技球１８を発射して、糸状材１９１の一端が接着された遊技球１８を遊技領域７に滞在させる行為が行われることがある。このとき、糸状材１９１が戻り防止弁１２を押下することにより、戻り防止弁１２が導出位置に固定されている。糸状材１９１が戻り防止弁１２が導出位置に固定されるので、多くの遊技球１８を発射された場合でも、検出センサ６はパルス信号を出力せず、遊技機１の制御装置は、遊技領域７に導出される遊技球１８の数を計数することができない。計数されることなく遊技球１８が遊技領域７に導出されると、図５（ｂ）に示すように、磁石１９２により固定された遊技球１８により後続する遊技球１８を堰き止めることにより、入賞口装置８に遊技球１８を案内する案内路１９３が形成されるおそれがある。
【００３３】
そこで、本発明に係る検出装置は、検出センサ６の出力と制御回路との間に配置されるインタフェース回路を有する。このインタフェース回路は、戻り防止弁の回動に応じて検出センサからパルス信号が入力されたときに出力する信号の数を、実際に誘導通路から遊技領域に導出された遊技球の数と一致させる処理を実行する。
【００３４】
（実施形態に係る検出装置の構成）
図６は、検出センサ６を含む検出装置の回路ブロック図である。
【００３５】
検出装置２０は、検出センサ６と、検出センサ６からパルス信号が入力されるインタフェース回路２１とを有する。インタフェース回路２１は、導出信号及び異常信号を制御回路１００に出力する。インタフェース回路２１は、計時回路２２と、導出信号出力回路２３と、異常信号出力回路２４と、バッファ素子２５とを有する。計時回路２２は、パルス信号が入力されてから許可時間が経過するまで、遊技領域７に遊技球が導出されたことを示す導出信号の出力を許可する出力許可信号を出力する。また、計時回路２２は、パルス信号が入力されてから初期化時間が経過した後に、インタフェース回路２１が導出信号を出力可能な初期状態に戻ったことを示す初期化信号を出力する。より詳細には、計時回路２２は、遅延回路２６と、出力許可回路２７と、電圧降下指示回路２８とを有する。遅延回路２６は、パルス信号が入力されたときに、時定数に応じて出力端子の電圧を初期電圧から上昇させると共に初期化信号の出力を停止し、電圧降下指示信号が入力されたときに、出力端子の電圧を初期電圧に降下させると共に初期化信号を出力する。出力許可回路２７は、遅延回路２６の出力端子に接続され、パルス信号が入力されてから許可時間が経過して、遅延回路２６の出力端子の電圧が出力許可電圧に上昇するまで、出力許可信号を導出信号出力回路に出力する。電圧降下指示回路２８は、遅延回路２６の出力端子に接続され、パルス信号が入力されてから初期化時間が経過して、遅延回路２６の出力端子の電圧が指示電圧より高くなったときに、電圧降下指示信号を遅延回路２６に出力する。導出信号出力回路２３は、検出センサ６及び計時回路２２に接続され、パルス信号が入力され且つ出力許可信号が入力されたときに導出信号を出力する。一方、導出信号出力回路２３は、導出信号を出力してから初期化時間が経過までは、パルス信号が入力されても、導出信号を出力しない。異常信号出力回路２４は、パルス信号が入力されているときに、初期化信号が入力されると、検出センサが異常状態であることを示す異常信号を出力する。バッファ素子２５は、検出センサ６から入力端子３１を介して入力された信号をバッファリングして、導出信号出力回路２３、異常信号出力回路２４及び遅延回路２６に出力する。
【００３６】
図７は、検出装置２０のより詳細な回路ブロック図である。
【００３７】
導出信号出力回路２３及び異常信号出力回路２４のそれぞれは、２入力ＡＮＤ素子である。導出信号出力回路２３は、一方の入力端子がバッファ素子２５の出力端子に接続され、他方の入力端子が計時回路２２の出力許可回路２７に接続され、出力端子は導出信号出力端子３２を介して制御回路１００に接続される。導出信号出力回路２３は、パルス信号が入力されバッファ素子２５の出力端子の電圧がＨレベル（Ｖｃｃ）であり且つ出力許可回路２７から電圧がＨレベルである出力許可信号が入力されたときに出力端子からＨレベルの電圧である導出信号を出力する。異常信号出力回路２４は、一方の入力端子がバッファ素子２５の出力端子に接続され、他方の入力端子が計時回路２２の遅延回路２６に接続され、出力端子は異常信号出力端子３３を介して制御回路１００に接続される。異常信号出力回路２４は、パルス信号が入力されバッファ素子２５の出力端子の電圧がＨレベルであり且つ遅延回路２６から電圧がＨレベルである初期化信号が入力されるとき、出力端子からＨレベルの電圧である異常信号を出力する。
【００３８】
遅延回路２６は、フリップフロップ２６１と、遅延ベース抵抗素子２６２と、遅延トランジスタ２６３と、遅延抵抗素子２６４と、遅延容量素子２６５と、出力端子２６６とを有する。フリップフロップ２６１は、データ端子Ｄが電源電圧Ｖｃｃに接続され、クロック端子ＣＬＫがバッファ素子２５の出力端子に接続され、リセット端子／ＣＬＲが電圧降下指示回路２８に接続される。フリップフロップ２６１の反転データ出力端子／Ｑは、異常信号出力回路２４の他方の入力端子と、遅延ベース抵抗素子２６２の一端に接続される。フリップフロップ２６１は、クロック端子ＣＬＫに接続されたバッファ素子２５の出力端子の電圧が立上り遷移すると、反転データ出力端子／Ｑの電圧をＬレベル（Ｇｎｄ）にする。また、フリップフロップ２６１は、電圧降下指示回路２８からリセット端子／ＣＬＲに入力される電圧がＬレベルになると、反転データ出力端子／Ｑの電圧をＨレベルにする。遅延ベース抵抗素子２６２の他端は、遅延トランジスタ２６３のベースに接続される。遅延トランジスタ２６３のコレクタは、遅延抵抗素子２６４及び遅延容量素子２６５の一端に接続されると共に、出力端子２６６を介して出力許可回路２７及び電圧降下指示回路２８に接続され、エミッタが接地される。遅延トランジスタ２６３は、反転データ出力端子／Ｑの電圧がＨレベルのときベース電流が流れるのでオンし、コレクタ電圧がＬレベルになる。遅延トランジスタ２６３は、反転データ出力端子／Ｑの電圧がＨレベルからＬレベルに遷移するとベース電流が流れなくなりオフする。遅延トランジスタ２６３がオフすると、コレクタ電圧が遅延抵抗素子２６４の抵抗値Ｒｘ及び遅延容量素子２６５の容量値Ｃｘにより規定される時定数τに応じて立上り遷移する。
【００３９】
出力許可回路２７は、許可コンパレータ２７１と、許可定電圧源２７２と、許可ベース抵抗２７３と、許可トランジスタ２７４と、許可負荷抵抗素子２７５とを有する。許可コンパレータ２７１は、出力端子２６６を介して遅延トランジスタ２６３のコレクタに接続される一方の入力端子が許可定電圧源２７２の出力許可電圧Ｖｓｌ１よりも高くなったときに、出力端子の電圧をＨレベルにする。許可ベース抵抗２７３は、一端が許可コンパレータ２７１の出力端子に接続され、他端が許可トランジスタ２７４のベースに接続される。許可トランジスタ２７４は、コレクタが導出信号出力回路２３の他方の入力端子及び許可負荷抵抗素子２７５の一端に接続され、エミッタが接地される。許可負荷抵抗素子２７５の他端は、電源電圧Ｖｃｃに接続される。許可トランジスタ２７４は、許可コンパレータ２７１の出力端子の電圧がＬレベルのときベース電流が流れずにオフし、コレクタ電圧がＨレベルになる。また、許可トランジスタ２７４は、許可コンパレータ２７１の出力端子の電圧がＨレベルのときベース電流が流れてオンし、コレクタ電圧がＬレベルになる。
【００４０】
電圧降下指示回路２８は、指示コンパレータ２８１と、指示定電圧源２８２と、指示ベース抵抗２８３と、指示トランジスタ２８４と、指示負荷抵抗素子２８５とを有する。指示コンパレータ２８１は、出力端子２６６を介して遅延トランジスタ２６３のコレクタに接続される一方の入力端子が指示定電圧源２８２の指示電圧Ｖｓｌ２よりも高くなったときに、出力端子の電圧をＨレベルにする。指示ベース抵抗２８３は、一端が指示コンパレータ２８１の出力端子に接続され、他端が指示トランジスタ２８４のベースに接続される。指示トランジスタ２８４は、コレクタがフリップフロップ２６１のリセット端子／ＣＬＲ及び指示負荷抵抗素子２８５の一端に接続され、エミッタが接地される。指示負荷抵抗素子２８５の他端は、電源電圧Ｖｃｃに接続される。指示トランジスタ２８４は、指示コンパレータ２８１の出力端子の電圧がＬレベルのときベース電流が流れずにオフし、コレクタ電圧がＨレベルになる。また、指示トランジスタ２８４は、指示コンパレータ２８１の出力端子の電圧がＨレベルのときベース電流が流れてオンし、コレクタ電圧がＬレベルになる。
【００４１】
（実施形態に係る検出装置の動作）
図８は、検出装置２０の動作を示すタイミングチャートである。図８において、期間（ａ）は、１つの遊技球が誘導通路５から遊技領域７に導出されるときに、遊技球が戻り防止弁１２に当接して遊技領域７に導出される通常の動作を示す。また、期間（ｂ）は、１つの遊技球が戻り防止弁１２に当接して遊技領域７に導出された後に戻り防止弁１２が振動して検出センサ６から２つのパルス信号が続けて出力された場合を示す。また、期間（ｃ）は、糸状材１９１の一端が接着された遊技球１８を遊技領域７に滞在させる行為により戻り防止弁１２が導出位置に固定された場合を示す。図８において、波形８０１は検出センサ６からインタフェース回路２１に入力される信号Ａ１の波形を示し、波形８０２はフリップフロップ２６１の反転データ出力端子／Ｑの電圧の波形を示す。波形８０３は遅延トランジスタ２６３のコレクタに接続される出力端子２６６の電圧Ｖ１の波形を示し、波形８０４は指示トランジスタ２８４のコレクタ電圧Ｖ２の波形を示し、波形８０５は許可トランジスタ２７４のコレクタ電圧Ｖ３の波形を示す。波形８０６は導出信号出力端子３２の電圧Ｙ１の波形を示し、波形８０７は異常信号出力端子３３の電圧Ｅ１の波形を示す。
【００４２】
まず、１つの遊技球が戻り防止弁１２に当接して遊技領域７に導出される通常の動作である期間（ａ）について説明する。矢印Ａで示すように、検出センサ６からパルス信号が入力される前の時点では、フリップフロップ２６１の反転データ出力端子／Ｑの電圧、指示トランジスタ２８４のコレクタ電圧Ｖ２及び許可トランジスタ２７４のコレクタ電圧Ｖ３はＨレベルである。一方、出力端子２６６の電圧Ｖ１はＬレベルである。矢印Ｂで示すように、遊技球が誘導通路５から遊技領域７に導出されるときに検出センサ６の戻り防止弁１２に当接して戻り防止弁１２が回動したことに応じて、パルス信号が検出センサ６から出力される。検出センサ６から出力されたパルス信号は、バッファ素子２５を介してフリップフロップ２６１のクロック端子ＣＬＫに入力される。フリップフロップ２６１は、パルス信号の立上りエッジに応じて、反転データ出力端子／Ｑの電圧をＨレベルからＬレベルに遷移する。フリップフロップ２６１の反転データ出力端子／Ｑの電圧がＬレベルに遷移すると、遅延トランジスタ２６３は、ベース電流が流れなくなりオフする。遅延トランジスタ２６３がオフすると、遅延トランジスタ２６３のコレクタに接続される出力端子２６６の電圧Ｖ１は、遅延抵抗素子２６４の抵抗値Ｒｘ及び遅延容量素子２６５の容量値Ｃｘにより規定される時定数τに応じて立上り遷移する。
【００４３】
また、バッファ素子２５を介してパルス信号が入力されると、導出信号出力端子３２の電圧Ｙ１は、許可トランジスタ２７４のコレクタ電圧Ｖ３がＨレベルなので、ＬレベルからＨレベルに遷移する。すなわち、導出信号出力回路２３は、許可トランジスタ２７４のコレクタ電圧Ｖ３がＨレベルのときに、パルス信号が入力されると、導出信号の出力を開始する。
【００４４】
矢印Ｃで示すように、出力端子２６６の電圧Ｖ１が許可定電圧源２７２の出力許可電圧Ｖｓｌ１よりも高くなると、許可コンパレータ２７１の出力端子の電圧がＨレベルになりベース電流が流れて許可トランジスタ２７４がオンする。許可トランジスタ２７４がオンすると、許可トランジスタ２７４のコレクタ電圧Ｖ３はＬレベルになる。許可トランジスタ２７４のコレクタ電圧Ｖ３がＬレベルになると、導出信号出力端子３２の電圧Ｙ１はＬレベルに遷移して、導出信号出力回路２３は、導出信号の出力を停止する。許可トランジスタ２７４のコレクタ電圧Ｖ３がＨレベルのときにインタフェース回路２１にパルス信号が入力されると、矢印Ｄで示すように、導出信号出力回路２３は、パルス信号である導出信号を、導出信号出力端子３２を介して制御回路１００に出力する。
【００４５】
矢印Ｅで示すように、出力端子２６６の電圧Ｖ１が指示定電圧源２８２の指示電圧Ｖｓｌ２よりも高くなると、指示コンパレータ２８１の出力端子の電圧がＨレベルになりベース電流が流れて指示トランジスタ２８４がオンする。指示トランジスタ２８４がオンすると、指示トランジスタ２８４のコレクタ電圧Ｖ２はＬレベルになる。フリップフロップ２６１のリセット端子／ＣＬＲに入力される指示トランジスタ２８４のコレクタ電圧Ｖ２がＬレベルになると、矢印Ｆで示すように、フリップフロップ２６１の反転データ出力端子／Ｑの電圧はＨレベルになる。フリップフロップ２６１の反転データ出力端子／Ｑの電圧がＨレベルに遷移すると、ベース電流が流れなくなり遅延トランジスタ２６３はオフし、出力端子２６６の電圧Ｖ１は、矢印Ｇで示すように、Ｌレベルになる。
【００４６】
出力端子２６６の電圧Ｖ１がＬレベルになると、許可コンパレータ２７１の出力端子の電圧がＬレベルになりベース電流が流れなくなり許可トランジスタ２７４がオフし、許可トランジスタ２７４のコレクタ電圧Ｖ３はＨレベルになる。また、出力端子２６６の電圧Ｖ１がＬレベルになると、指示コンパレータ２８１の出力端子の電圧がＬレベルになりベース電流が流れなくなり指示トランジスタ２８４がオフし、指示トランジスタ２８４のコレクタ電圧Ｖ２はＨレベルになる。
【００４７】
矢印Ｈで示す時点では、フリップフロップ２６１の反転データ出力端子／Ｑの電圧、指示トランジスタ２８４のコレクタ電圧Ｖ２及び許可トランジスタ２７４のコレクタ電圧Ｖ３はＨレベルであり、出力端子２６６の電圧Ｖ１はＬレベルである。すなわち、矢印Ｈで示す時点のインタフェース回路の内部電圧の状態は、検出センサ６からパルス信号が入力される前の状態と同様に、インタフェース回路２１が導出信号を出力可能な初期状態である。また、矢印Ｈで示す時点では、計時回路２２は、インタフェース回路２１が導出信号を出力可能な初期状態に戻ったことを示す初期化信号をフリップフロップ２６１の反転データ出力端子／Ｑから異常信号出力回路２４に出力する。フリップフロップ２６１は、パルス信号が入力されたときに、初期化信号の出力を停止し、電圧降下指示信号が入力されたときに、初期化信号の出力を開始する初期化回路として機能する。
【００４８】
期間（ａ）では、矢印Ｂで示される１つのパルス信号がインタフェース回路２１に入力されることに応じて、矢印Ｄで示されるパルス信号が導出信号出力端子３２から導出信号として制御回路１００に出力される。双方向矢印Ｉで示されるパルス信号が入力してから許可トランジスタ２７４のコレクタ電圧Ｖ３がＬレベルに遷移するまで期間は、導出信号出力回路２３が導出信号を出力することを許可する許可時間である。双方向矢印Ｊで示されるパルス信号が入力してから許可トランジスタ２７４のコレクタ電圧Ｖ３がＨレベルに遷移するまで期間は、インタフェース回路２１が導出信号を出力可能な初期状態に戻るまでの初期化時間である。許可時間が経過した後、初期化時間が経過するまでの時間に検出センサ６からパルス信号が入力されても、インタフェース回路２１は、導出信号を出力しない。許可時間及び初期化時間は、遅延抵抗素子２６４の抵抗値Ｒｘと、遅延容量素子２６５の容量値Ｃｘにより規定される時定数τに応じて変動する時間なので、抵抗値Ｒｘ及び容量値Ｃｘに基づいて決定することができる。例えば、遊技球の最小の発射間隔である０．６秒よりも若干短い０．５秒に初期化時間がなるように、抵抗値Ｒｘ及び容量値Ｃｘの値を決定することができる。
【００４９】
次に、１つの遊技球が戻り防止弁１２に当接して遊技領域７に導出された後に戻り防止弁１２が振動して検出センサ６から２つのパルス信号が続けて出力される期間（ｂ）について説明する。矢印Ｋで示すように、遊技球が誘導通路５から遊技領域７に導出されるときに検出センサ６の戻り防止弁１２に当接して戻り防止弁１２が回動したことに応じてパルス信号が検出センサ６からバッファ素子２５に入力される。許可トランジスタ２７４のコレクタ電圧Ｖ３はＨレベルなので、インタフェース回路２１は期間（ａ）と同様の処理を実行し、矢印Ｌで示すように、パルス信号である導出信号が導出信号出力端子３２から出力される。
【００５０】
矢印Ｍで示すように、遊技領域７に導出された後に戻り防止弁１２が振動して検出センサ６から２つ目のパルス信号が入力されるとき、双方向矢印Ｎで示される初期化時間が経過する前である。初期化時間が経過する前では、波形８０５は許可トランジスタ２７４のコレクタ電圧Ｖ３はＬレベルであるので、検出センサ６からパルス信号が入力されているのにもかかわらず、導出信号出力端子の電圧Ｙ１はＬレベルに維持される。
【００５１】
期間（ｂ）では、１つの遊技球が戻り防止弁１２に当接して遊技領域７に導出された後に戻り防止弁１２が振動して検出センサ６から２つのパルス信号が続けて出力されるものの、２つ目のパルス信号は初期化時間が経過する前に入力されている。２つ目のパルス信号は初期化時間が経過する前に入力されているので、インタフェース回路２１は、２つ目のパルス信号に対応する導出信号を導出信号出力端子３２から制御回路１００に出力しない。すなわち、インタフェース回路２１では、導出信号出力回路２３は、導出信号を出力してから計時回路２２が初期化信号を出力するまで導出信号を出力しない。
【００５２】
次に、戻り防止弁１２が導出位置に固定されている期間（ｃ）について説明する。戻り防止弁１２が導出位置に固定されると、検出センサ６の出力信号Ａ１の電圧は、矢印Ｐで示すように、Ｈレベルに維持される。検出センサ６の出力信号の電圧Ａ１がＨレベルに維持されるとバッファ素子２５の出力端子に接続された異常信号出力回路２４の一方の端子の電圧は、Ｈレベルに維持される。異常信号出力回路２４の一方の端子の電圧がＨレベルに維持される間に、初期化時間が終了して、許可トランジスタ２７４のコレクタ電圧Ｖ３がＨレベルに遷移すると、矢印Ｑに示すように、異常信号出力回路２４は、Ｈレベルの異常信号を出力する。
【００５３】
期間（ｃ）では、異常信号出力回路２４は、戻り防止弁１２が導出位置に固定されて検出センサ６からパルス信号が入力されている間に初期化期間が経過すると、検出センサ６が異常状態であることを示す異常信号を出力する。これにより、インタフェース回路２１は、導出位置に回動してから時定数τに応じて決定される初期化期間が経過するまでに戻り防止弁１２が戻り防止位置に戻らなかったときに、検出センサ６が異常状態であることを示す異常信号を出力する。
【００５４】
実施形態に係るインタフェース回路は、導出信号が出力されてから初期化時間が経過するまで、遊技領域に遊技球が導出されたことを示す導出信号を出力しない。したがって、遊技球が遊技領域に導出されたときの反動又は遊技領域に導出された遊技球が戻り防止弁に衝突したときの反動等により検出センサの戻り防止弁が振幅して、検出センサからパルス信号が入力された場合に制御回路に導出信号を出力しない。このため、実施形態に係るインタフェース回路は、戻り防止弁の回動に応じて検出センサから入力されたときに出力するパルス信号の数を、実際に誘導通路から遊技領域に導出された遊技球の数と一致させる処理を実行することができる。また、実施形態に係るインタフェース回路は、検出センサからパルス信号が入力されている間に初期化期間が経過すると、検出センサが異常状態であることを示す異常信号を制御回路に出力する。このため、異常信号が入力された制御回路は、糸状材が戻り防止弁を押下することにより、戻り防止弁が導出位置に固定されたときに、検出センサの異常を検知することができる。
【００５５】
（実施形態に係る検出装置の変形例）
検出センサ６は、戻り防止弁１２と支持軸１４とは別個の部材であるが、戻り防止弁と戻り防止弁を回転可能に支持する支持軸は、一体の部材として形成されてもよい。また、検出センサ６のセンサ部１１は、発光素子１１２と受光素子１１３とを有するが、近接センサ等の戻り防止弁１２の回動を検出可能な他のセンサを採用してもよい。
【００５６】
また、説明された実施形態では、インタフェース回路のスイッチは、バイポーラトランジスタで形成されるが、バイポーラトランジスタの代わりにＭＯＳトランジスタを採用してもよい。
【００５７】
また、説明された実施形態では、初期化回路としてフリップフロップ２６１が使用されているが、初期化回路は、バイポーラトランジスタ及び抵抗素子で形成してもよい。また、説明された実施形態では、計時回路２２は、フリップフロップ２６１、許可コンパレータ２７１及び指示コンパレータ２８１等で形成されているが、タイマ回路で形成することにより、より少ない構成要素で形成してもよい。
【符号の説明】
【００５８】
１    遊技機
６    検出センサ
２０    検出装置
２１    インタフェース回路
２２    計時回路
２３    導出信号出力回路
２４    異常信号出力回路
２６    遅延回路
２７    出力許可回路
２８    電圧降下指示回路
【図１】
0006354598.tif 000002
【図２】
0006354598.tif 000003
【図３】
0006354598.tif 000004
【図４】
0006354598.tif 000005
【図５】
0006354598.tif 000006
【図６】
0006354598.tif 000007
【図７】
0006354598.tif 000008
【図８】
0006354598.tif 000009